(57)【要約】【課題】直列多重インバータ装置の負荷試験を簡素化して、消費電力を低減すること。【解決手段】直列多重インバータ１の出力を遮断器６の１次側に遮断器８を介して接続し、直列多重インバータ１の出力の周波数及び位相を三相交流電源２の周波数及び位相と一致させた後、遮断器８をオンして負荷試験を行う。【選択図】  図１
2010041897.tif 000002
【特許請求の範囲】
【請求項１】
交流電源に接続された変圧器と、該変圧器の複数の２次巻線の出力に接続され整流回路とインバータ回路とを有するセルユニットを複数備え、該複数のセルユニットの出力を直列接続してなる直列多重インバータ装置の負荷試験方法において、
前記直列多重インバータ装置の出力を前記変圧器の１次側に開閉器を介して接続し、前記直列多重インバータ装置の出力の周波数及び位相を前記交流電源の周波数及び位相と一致させた後、前記開閉器をオンして負荷試験を行うことを特徴とする直列多重インバータ装置の負荷試験方法。
【請求項２】
請求項１に記載の直列多重インバータ装置の負荷試験方法において、
前記変圧器と前記交流電源とをリアクトルを介して接続して負荷試験を行うことを特徴とする直列多重インバータ装置の負荷試験方法。
【発明の詳細な説明】
【技術分野】
【０００１】
本発明は、直列多重インバータ装置の負荷試験方法に関する。
【背景技術】
【０００２】
従来、インバータの製造後に行われる負荷試験は、インバータに各種の負荷装置を接続して行われていた。しかし、このような方法で負荷試験を行うと、負荷装置で電力が無駄に消費されてしまう。そこで、特許文献１のように、直流電源に２台のインバータを接続し、第１インバータの出力と第２インバータの入力とをリアクトルを介して接続し、第２インバータをコンバータとして駆動して直流電流を直流電源に回生させることで負荷装置が不要となり、負荷試験における消費電力を低減することが知られている。
【０００３】
【特許文献１】特開２００４−８８８３２
【発明の開示】
【発明が解決しようとする課題】
【０００４】
しかし、交流電源に接続された変圧器と、変圧器の複数の２次巻線の出力にそれぞれ接続され整流回路とインバータ回路とを有するセルユニットを複数備え、複数のセルユニットの出力を直列接続してなる直列多重インバータ装置では、特許文献１の方法をそのまま適用できない。仮に、特許文献１の方法を適用しようとすると、直列多重インバータ装置は、交流を直流に変換する整流回路があるため電流を回生できない。したがって、負荷試験における消費電力が大きくなるという問題がある。
【０００５】
本発明が解決しようとする課題は、直列多重インバータ装置の負荷試験を簡素化して、消費電力を低減することにある。
【課題を解決するための手段】
【０００６】
上記課題を解決するため、本発明の直列多重インバータ装置の負荷試験方法は、上記直列多重インバータ装置の出力を変圧器の１次側に開閉器を介して接続し、直列多重インバータ装置の出力の周波数及び位相を交流電源の周波数及び位相と一致させた後、開閉器をオンして負荷試験を行うことを特徴とする。
【０００７】
本発明によれば、直列多重インバータ装置の出力の周波数及び位相を交流電源の周波数及び位相と一致させたことで、直列多重インバータ装置の出力を交流電源に回生することが可能となる。これにより、負荷試験において、負荷装置が必要なくなるとともに、消費電力を低減することができる。
【０００８】
この場合において、変圧器と交流電源とをリアクトルを介して接続して負荷試験を行うこともできる。これにより、交流電源に電流を回生する際に、高調波成分が除去できる。
【発明の効果】
【０００９】
本発明によれば、直列多重インバータ装置の負荷試験を簡素化して、消費電力を低減できる。
【発明を実施するための最良の形態】
【００１０】
以下、本発明の直列多重インバータ１の負荷試験方法の実施例について図面を参照して説明する。
【実施例１】
【００１１】
図１は、直列多重インバータ１の負荷試験のための構成図である。図１に示すように、負荷試験は、三相交流電源２にリアクトル４を接続し、リアクトル４の２次側に遮断器６を接続し、遮断器６の２次側に直列多重インバータ１の入力を接続し、直列多重インバータ１の出力と、リアクトル４と遮断器６との接点とを遮断器８を介して接続して行う。
【００１２】
図２（ａ）は、直列多重インバータ１の構成図であり、直列多重インバータ１は、三相変圧器１０と、三相変圧器１０の出力にそれぞれ接続されるセルユニット１２を複数備え、複数のセルユニット１２の出力を直列接続して構成されている。
【００１３】
図２（ｂ）は、セルユニット１２の構成図であり、セルユニット１２は、複数のダイオードをブリッジ接続して整流回路１３と、整流回路１３の出力に接続された平滑コンデンサ１４と、平滑コンデンサ１４の出力に接続され複数のスイッチング素子をブリッジ接続してなるインバータ回路１５と、インバータ回路１５をＰＷＭ制御するスイッチング制御回路１６とにより構成されている。なお、直列多重インバータ１及びセルユニット１２は公知のものである。
【００１４】
このように構成された直列多重インバータ１の負荷試験方法について、図１を参照して説明する。まず、遮断器６をオンして直列多重インバータの入力側Ｒ３、Ｓ３、Ｔ３に電圧を印加するとともに、直列多重インバータ１を駆動する。ここで、遮断器８はオフのままで直列多重インバータ１を駆動させ、直列多重インバータ１の出力側Ｕ３、Ｖ３、Ｗ３がオープンループの状態で電圧を発生させ、その電圧の位相及び周波数が、三相交流電源２の電圧の位相及び周波数と一致するように、試験作業員が調整を行う。電圧の位相等はオシロスコープで確認する。周波数は予め三相交流電源２と同値の周波数を、スイッチング制御回路１６に設定しておいてもよい。次に、スイッチング制御回路１６にて電流指令を０にした状態で遮断器８をオンし、直列多重インバータ１が正常に運転できるか確認する。正常に運転できず、電流が過大に流れた場合は、位相調整ができていないことが考えられるため、遮断器８をオフし再度位相調整を行う。正常に運転できている場合は、負荷試験に応じた電流指令をスイッチング制御回路１６に入力し、負荷試験を行う。
【００１５】
以上説明したように、本実施例によれば、直列多重インバータ１の出力の周波数及び位相を三相交流電源２の周波数及び位相と一致させたことで、直列多重インバータ１の出力を三相交流電源２に回生することが可能となる。これにより、負荷試験において、負荷装置が必要なくなるとともに、消費電力を低減することができる。また、遮断器６と三相交流電源２とをリアクトル４を介して接続したから、三相交流電源２に電流を回生する際に、高調波成分が除去できる。また、遮断器６を設けたことから、故障が発生した場合、三相交流電源２から切り離すことができる。
【実施例２】
【００１６】
図３及び４を参照して、本発明の第２の実施例について説明する。本実施例が、実施例１と相違する点は、リアクトル４と遮断器６との間に三相変圧器１８を設けたことである。負荷試験方法については、実施例１と同様である。図３（ａ）に示すように遮断器６の１次側を三相変圧器１８の２次側に接続することで、三相交流電源２と異なる入力定格の直列多重インバータ１を試験することができる。また、図３（ｂ）のように、遮断器６及び８の１次側を三相変圧器１８の１次側に接続することにより実施例１と同様の構成となる。
【００１７】
また、図４（ａ）のように、遮断器６の１次側を三相変圧器１８の２次側に接続し、遮断器８の２次側を三相変圧器１８の１次側に接続することにより、入力電圧と出力電圧が異なる直列多重インバータ１の試験を行うことができる。また、図４（ｂ）のように、遮断器６の１次側を三相変圧器１８の１次側に接続し、遮断器８の２次側を三相変圧器１８の２次側に接続することでも、入力電圧と出力電圧が異なる直列多重インバータ１の試験を行うことができる。
【００１８】
以上、本発明の直列多重インバータ１の負荷試験について説明したが、本発明は、これらの実施例に限らず適宜構成を変更して適用することができる。例えば、単相の場合でも適用できる。さらに、直列多重インバータ１の位相を三相交流電源２の位相に合わせるための位相調整装置を設けてもよい。
【図面の簡単な説明】
【００１９】
【図１】本発明の実施例１の直列多重インバータの負荷試験を行う際の構成図である。
【図２】（ａ）は、直列多重インバータの構成図であり、（ｂ）は、セルユニットの構成図である。
【図３】本発明の実施例２の直列多重インバータの負荷試験を行う際の構成図である。
【図４】本発明の実施例２の直列多重インバータの負荷試験を行う際の構成図である。
【符号の説明】
【００２０】
１  直列多重インバータ
２  三相交流電源
６，８  遮断器
１０  三相変圧器
１２  セルユニット
１６  スイッチング制御回路
１８  三相変圧器
【図１】
2010041897.tif 000003
【図２】
2010041897.tif 000004
【図３】
2010041897.tif 000005
【図４】
2010041897.tif 000006